(57)【要約】【課題】  搬送される原稿との摩擦によって電荷が発生する透明部材における除電効果を高める。【解決手段】  原稿載置台に載置された原稿を搬送する搬送手段と、原稿搬送面側に導電層を備えた透明部材と、前記搬送手段により前記透明部材の原稿搬送面を搬送される原稿を読み取る読取手段と、シェーディング補正を行うための基準部材と、前記基準部材を前記透明部材の前記導電層上に貼りつける導電性粘着部材と、前記導電性粘着部材を接地するための接地部材とを有し、前記導電層は前記導電性粘着部材および接地部材を介して接地されていることを特徴とする。【選択図】  図７
2014036364.tif 000002
【特許請求の範囲】
【請求項１】
原稿載置台に載置された原稿を搬送する搬送手段と、
原稿搬送面側に導電層を備えた透明部材と、
前記搬送手段により前記透明部材の原稿搬送面を搬送される原稿を読み取る読取手段と、
シェーディング補正を行うための基準部材と、
前記基準部材を前記透明部材の前記導電層上に貼りつける導電性粘着部材と、
前記導電性粘着部材を接地するための接地部材とを有し、
前記導電層は前記導電性粘着部材および接地部材を介して接地されていることを特徴とする画像読取装置。
【請求項２】
前記導電性粘着部材は、金属層と導電性粘着層から構成されていることを特徴とする請求項１に記載の画像読取装置。
【請求項３】
前記導電性粘着部材は、原稿の搬送方向と垂直な方向に延在して設けられていることを特徴とする請求項１に記載の画像読取装置。
【請求項４】
前記接地部材は前記透明部材の前記原稿の搬送方向とつい垂直な方向における端部に設けられていることを特徴とする請求項１乃至３のいずれかに記載の画像読取装置。
【請求項５】
前記導電性粘着部材は、前記基準部材を取り囲むように配置されていることを特徴とする請求項１乃至４のいずれかに記載の画像読取装置。
【請求項６】
前記透明部材は移動可能であり、
前記読取手段が前記基準部材を読み取る際、前記透明部材は前記透明部材に貼りつけられた前記基準部材が前記読取手段の読み取り位置になるように移動することを特徴とする請求項１乃至５のいずれかに記載の画像読取装置。
【発明の詳細な説明】
【技術分野】
【０００１】
本発明は、原稿の画像を読み取る画像読取装置に関するものである。
【背景技術】
【０００２】
従来、デジタル複写機等の画像形成装置に用いられる、自動原稿搬送装置（以下、ＡＤＦ（Ａｕｔｏ  Ｄｏｃｕｍｅｎｔ  Ｆｅｅｄｅｒ）という）を備えた画像読取装置がある。この種のＡＤＦを備えた画像読取装置は、ＡＤＦの下方に設けられた読取部をモータにより設定位置、すなわち、ＡＤＦ内のプラテンローラのほぼ直下に移動して停止させる。そして、ランプユニットから光を出射し、プラテンローラとガラス板との間で原稿を搬送させつつ原稿を走査し、その反射光に基づいて読取部で画像を読み取る。
【０００３】
図８に示すように、従来のデジタル複写機のＡＤＦの原稿読取部は、プラテンローラ５２４、コンタクトガラス５１６を備えている。ここで、原稿Ｄはコンタクトガラス５１６の表面と接しながら搬送される。また原稿Ｄの搬送性を確保する為に、コンタクトガラス５１６の長手方向（原稿幅方向）端部にアースバネ（不図示）を設けコンタクトガラス５１６の帯電防止を行っている。しかしながら、原稿搬送で発生したトナー粉、紙粉、ゴムカス等のゴミがコンタクトガラス上に溜まってしまうという問題が発生する。特にゴミが原稿読取位置に溜まると画像記録の際にスジ画像が発生するという問題がある。
【０００４】
すなわち、図８に示すように、原稿Ｄと一緒に運ばれてきたゴミＧは原稿Ｄとコンタクトガラス５１６の間で摺擦される。その後、原稿Ｄはコンタクトガラス５１６から離れて搬送ガイド５１７に沿って搬送されていくが、ゴミＧはコンタクトガラス５１６に静電吸着し滞留する。このとき、ゴミＧが原稿読取位置９９にあると、原稿Ｄの読み取り中、読取部によって連続して読み取られ、画像スジが発生する。
【０００５】
そこで図９に示すように、コンタクトガラス５１６の通紙面上に導電性コーティング５１６ｃを施している。また、原稿の幅方向に延びたにアルミシート５１６ａを貼り付けして除電効果を強化してゴミＧがコンタクトガラス５１６に静電吸着して画像スジになることを防止している（特許文献１参照）。
【０００６】
この構成によると原稿Ｄに付着した紙粉等のゴミＧは、原稿Ｄと共に搬送され、コンタクトガラス５１６と原稿Ｄの間で摺擦される。コンタクトガラス５１６の表面の帯電はアルミシート５１６ａ及びコンタクトガラス５１６表面の導電層（導電コーティング）５１６ｃにより除去される。よって原稿Ｄ、ゴミＧ、コンタクトガラス５１６の間には静電吸着の力は及ばず、摩擦による力が支配的となる。従って、原稿ＤとゴミＧとの摩擦力が、ゴミＧとコンタクトガラス５１６との摩擦力より強く、ゴミＧは原稿Ｄと共に搬送され、コンタクトガラス５１６に滞留し、画像スジが発生することを防止することができる。
【０００７】
また、例えゴミＧがコンタクトガラス５１６上に留まったとしても、静電吸着していなければ次の原稿Ｄの先端によりクリーニングされて簡単に除去できるため、スジ画像になることを防止できる。
【０００８】
一方近年では、ＡＤＦの原稿搬送路を挟んで両側に画像読取部およびコンタクトガラスを設け、一度の原稿搬送中に原稿の両面の画像を読み取る、両面同時読み取り方式の画像読み取り装置が提供されている。
【０００９】
両面同時読み取り方式の画像読み取り装置の場合、ＡＤＦ側に設けた画像読取部のシェーディング補正を行うために、白基準板をコンタクトガラス上に設けているものがある。この場合、コンタクトガラスと画像読取部を相対的に移動可能に構成することで、白基準板の読み取りを行うように構成している。
【００１０】
図１０は、白基準板をコンタクトガラス上に設けた従来例のコンタクトガラスの構成を説明する図である。
【００１１】
コンタクトガラス６００の原稿搬送方向の一端部に沿って、白基準板６０１が両面テープ６０２によって貼りつけてある。両面テープ６０２は、白基準板６０１の周囲を取り囲むように貼りつけてある。白基準板６０１は、コンタクトガラス６００と両面テープ６０２とによって密封されており、外部からゴミ等が侵入することはない。
【００１２】
両面テープ６０２と画像読取部（不図示）の画像読み取り位置６０３との、原稿搬送方向の距離は、原稿を照明する照明部（不図示）から画像読み取り位置６０３の原稿に向かう照明光を遮らないように、所定の距離だけ離して設定してある。
【００１３】
また、コンタクトガラス６００の原稿搬送路側の表面には、導電性コート６００ｂが施してある。コンタクトガラス６００の原稿搬送方向と垂直方向の一端部には、導電性コート６００ｂにアルミテープ６０４が導電性両面テープにて貼りつけてある。該アルミテープ６０４を接地することで、コンタクトガラス６００の帯電防止を図っている。
【先行技術文献】
【特許文献】
【００１４】
【特許文献１】特開２００５−１８４０６９号公報
【発明の概要】
【発明が解決しようとする課題】
【００１５】
コンタクトガラス上に設けた導電層は、コンタクトガラスの透明性を確保するために、金属蒸着によって膜厚は約１μｍ以下で生成されている。このため、導電層の電気抵抗値は約２００〜５００Ω／ｃｍ程度と、比較的抵抗値が大きい。
【００１６】
このため、従来のように、流し読みガラスの主走査方向の一端だけに導電性部材を設ける構成の場合、導電性部材から遠い側に発生した電荷は、抵抗値の大きい導電層を長距離にわたって通過しないと導電性部材に到達しない。
【００１７】
したがって、原稿との摩擦による電荷の発生に対して、電荷の消滅が間に合わず、帯電防止の効果が十分であるとはいえない。
【００１８】
本発明は搬送される原稿との摩擦によって電荷が発生する透明部材における除電効果を高めることを目的とする。
【課題を解決するための手段】
【００１９】
本発明の画像読取装置は、原稿載置台に載置された原稿を搬送する搬送手段と、原稿搬送面側に導電層を備えた透明部材と、前記搬送手段により前記透明部材の原稿搬送面を搬送される原稿を読み取る読取手段と、シェーディング補正を行うための基準部材と、前記基準部材を前記透明部材の前記導電層上に貼りつける導電性粘着部材と、前記導電性粘着部材を接地するための接地部材とを有し、前記導電層は前記導電性粘着部材および接地部材を介して接地されていることを特徴とする。
【発明の効果】
【００２０】
本発明は搬送される原稿との摩擦によって電荷が発生する透明部材における除電効果を高めることができ、透明部材の帯電を低減することができる。
【図面の簡単な説明】
【００２１】
【図１】複写機Ａの概略構成を示した図である。
【図２】画像読取装置の断面図である。
【図３】第１画像読取部を移動させる駆動部の構成を説明する図である。
【図４】第１画像読取部の動作説明図である。
【図５】第２画像読取部の動作説明図である。
【図６】第１画像読取部の説明図である。
【図７】第２画像読取部の説明図である。
【図８】従来の画像読取部の説明図である。
【図９】従来の画像読取部の説明図である。
【図１０】従来の画像読取部の説明図である。
【発明を実施するための形態】
【００２２】
（実施例）
図１は本実施例に係る複写機Ａの概略構成を示す概略図である複写機Ａは、原稿画像を読み取る画像読取装置２と、画像読取装置２によって読み取られた画像に濃度補正処理などの画像処理を施す画像処理部３と、画像処理部３により画像処理が施された画像データに基づいたトナー等を記録紙に転写させて定着させる画像形成部４と、該複写機を制御する制御部１を備える。画像形成部４の構成及び動作は周知であるので、説明は省略する。
【００２３】
次に、画像読取装置２の概略構成を、図２から図５を用いて説明する。
【００２４】
画像読取装置２は、図２に示すように、画像読取装置本体２０と、その上方に配置され、画像読取装置本体背面側に不図示のヒンジを介して開閉可能に設けられた自動原稿給送装置（以下、ＡＤＦという）４０とを有する。
【００２５】
ここで、画像読取装置２は、原稿載置台１２に載置されたシートである原稿Ｄの画像を読み取るため、画像読取装置本体２０側に第１画像読取部２１を備え、ＡＤＦ４０側に第２画像読取部４１を備える。
【００２６】
画像読取装置２は、ＡＤＦ４０に設けられた原稿載置台１２に載置された原稿Ｄを一枚ずつ順次搬送して、所定位置に停止した第１画像読取部２１で画像を読取る片面シートスルー読み取りモード（以下、流し読みモードという）を備えている。
【００２７】
また、原稿載置台１２に載置された原稿Ｄを一枚ずつ順次搬送し、第１画像読取部２１及び第２画像読取部４１の両方で原稿の表面及び裏面の画像を読取る両面シートスルー読み取りモード（以下、両面流し読みモードという）を備えている。さらに、原稿台ガラス２２に載置された原稿画像を第１画像読取部２１を移動させて読み取るＢＯＯＫ読み取りモード（以下、固定読みモードという）を備えている。
【００２８】
画像読取装置本体２０は、第１画像読取部２１を備えると共に上面には原稿台ガラス２２を備えている。さらに、上面の原稿台ガラス２２の原稿搬送方向上流側に、流し読みモード時に第１画像読取部２１にて画像を読み取る際、原稿が接触するガラス部材である第１コンタクトガラス２３を備えている。
【００２９】
ここで、第１画像読取部２１は、原稿の表面（第１面）の画像を読み取るためのものである。そして、原稿表面を照明する照明部２１ｃ、複数のミラー２１ｄ及び結像レンズ２１ｅによって構成された光学系２１ｆ、複数の光電変換素子を一列に配置したラインＣＣＤ（Ｃｈａｒｇｅ  Ｃｏｕｐｌｅｄ  Ｄｅｖｉｃｅ）２１ｇを有している。なお、これら照明手段２１ｃ、ミラー２１ｄ等は光学箱２１ｂに収納されている。
【００３０】
そして、固定読みモードの場合は、ガラスなどの透明部材で構成される原稿台ガラス２２上に載置されている原稿Ｄに対し、照明部２１ｃにより光を照射しながら第１画像読取部２１を矢印Ｆに移動させるようにしている。第１画像読取部が移動する方向を副走査方向と呼ぶ。なお、照明部２１ｃから照射された後、原稿面から反射した光は、光学系２１ｆにより、ラインＣＣＤ２１ｇに結像され、原稿の一方の面の画像情報が光電変換され、電気信号に変換される。
【００３１】
また、流し読みモードの場合は、第１コンタクトガラス２３の下方に第１画像読取部２１を停止させた状態で、ＡＤＦ４０によって搬送される原稿Ｄに照明部２１ｃにより光を照射することにより、原稿画像を読み取るようにしている。
【００３２】
なお、図３は、第１画像読取部２１を移動させるための駆動部の構成を示す図である。２４はガイドレールであり、第１画像読取部２１は、このガイドレール２４に沿って移動するように構成されている。２７は、プーリ２５ａ，２６に掛け渡された無端のタイミングベルトであり、第１画像読取部２１は、固定部２１ｈにおいてタイミングベルト２７に固定されている。２８はタイミングベルト２７に張力を与えるテンショナーである。
【００３３】
そして、プーリ２５ａが駆動モータ２９より駆動力を受けて回転すると、第１読取部２１は矢印Ｆ方向に移動するように構成されている。
【００３４】
原稿台ガラス２２の端部には、第１画像読取部２１のシェーディング補正を行うための基準部材として第１白基準板３０が設けてある。シェーディング補正とは、現行画像の読み取り前に、第１画像読取部２１によって第１白基準板３０を読み取り、第１照明部２１ｃの光量の不均一やラインＣＣＤ２１ｇの感度の不均一を補正する補正係数を記憶しておき、後に読み取った原稿の画像を該補正係数を用いて補正することを言う。原稿画像の読み取りを行う前に、シェーディング補正を行うことで、適正な読み取り画像を得ることができる。
【００３５】
ＡＤＦ４０は、流し読みモードの際、第１コンタクトガラス２３の下方で停止している第１画像読取部２１による原稿画像の読み取りが可能となるよう原稿を搬送して第１コンタクトガラス２３上を通過させるためのものである。また、両面流し読みモードの際には、原稿を搬送して第１コンタクトガラス２３上を通過させた後、第２画像読取部４１に搬送するためのものである。
【００３６】
このＡＤＦ４０は、図２に示すように略Ｕ字状の原稿搬送路（以下、Ｕターンパス）４０ａを有し、このＵターンパス４０ａの上流側には、原稿載置台１２上の原稿Ｄを送り出すピックアップローラ４３が設けられている。また、Ｕターンパス４０ａの上流側には、送り出された原稿Ｄを１枚に分離するための互いに圧接した分離ローラ４４ａ及び逆転ローラ４４ｂ、原稿Ｄの有無を検出する原稿有無センサ４５が設けられている。
【００３７】
第１コンタクトガラス２３の上流側には、原稿Ｄを第１画像読取部２１により画像を読み取る第１読取部２１に向けて搬送する第１搬送ローラ対４６、原稿Ｄの先端部及び後端部を検出する第１原稿エッジセンサ４７が設けられている。また、第１コンタクトガラス２３の下流側には、第２搬送ローラ対４８、原稿Ｄの先端部及び後端部を検出する第２原稿エッジセンサ４９が設けられている。
【００３８】
さらに、第２搬送ローラ対４８の下流側には、原稿Ｄを原稿排紙トレイ５０上に排出する第３搬送ローラ対５１が設けられている。そして、この第２搬送ローラ対４８と第３搬送ローラ対５１との間に、両面流し読みモードの際、原稿の裏面（第２面）を読み取るための第２画像読取部４１が設けられている。また、この第２画像読取部４１と対向してガラス部材である第２コンタクトガラス４２が設けられている。
【００３９】
ここで、第２画像読取部４１は、原稿の裏面を照明する第２照明部４１ｃ、複数のミラー４１ｄ及び結像レンズ４１ｅによって構成された光学系４１ｆ、ライン状のＣＣＤ４１ｇで構成され、ＡＤＦ内の所定位置に固定配置されている。
【００４０】
第２コンタクトガラス４２の端部には、第２画像読取部４１のシェーディング補正を行うための基準部材として第２白基準板５２が設けてある。第２コンタクトガラス４２は不図示の駆動源によって図２中矢印Ｇ方向に往復移動可能に構成されている。
【００４１】
シェーディング補正時は、第２コンタクトガラス４２を図５（ｂ）に示したように、第２白基準板５２が第２画像読み取り手段４１の読み取り位置４１ｈの下方に位置するように移動して、シェーディング補正係数を記憶する。
【００４２】
原稿画像読み取り時には、第２コンタクトガラス４２を図５（ａ）に示したように、第２コンタクトガラス４２の透明部４２ａが第２画像読取部４１の読み取り位置４１ｈの下方に位置するように移動して、搬送されてくる原稿の画像を読み取る。
【００４３】
そして、両面流し読みモードの際、第１画像読取部２１により表面画像が読み取られた原稿は、この後、第２画像読取部４１に搬送されるようになっている。なお、原稿が搬送されると、第２画像読取部４１では、原稿Ｄの裏面に対し照明部４１ｃにより光を照射し、原稿面から反射した光を光学系４１ｆにより、ＣＣＤ４１ｇに結像され、原稿の他方の面の画像情報が光電変換され、電気信号に変換される。
【００４４】
固定読みモードの際には、ＡＤＦ４０の正面側を持ち上げることで、原稿台ガラス２２の手前側を大きく開放した後、原稿台ガラス２２に原稿を載置するようにしている。なお、ＡＤＦ４０の下面には固定読みモード時に原稿Ｄを原稿台ガラス２２に密着するための圧着板５３が取り付けられている。
【００４５】
次に、このように構成された画像読取装置２における各読み取りモードにおける読み取り動作について説明する。下記説明において、各部の動作制御は制御部３（図１参照）によって制御される。
【００４６】
両面流し読みモードの場合は、読み取り開始操作が行われると、画像読み取りを行う前に第１画像読取部２１を第１白基準板３０の下方に読み取り位置２１ｈが来るように移動して（図４（ｂ））、第１白基準板３０を読み取り、シェーディング補正係数を記憶する。その後、第１画像読取部２１を第１コンタクトガラス２３の下方に読み取り位置２１ｈが来るように移動する（図４（ａ））。
【００４７】
上記動作と並行して、第２画像読取部４１の読み取り位置４１ｈの下方に第２白基準板５２が来るように第２コンタクトガラス４２を移動して（図５（ｂ））、第２白基準板５２を読み取り、シェーディング補正係数を記憶する。その後、第２画像読取部４１の読み取り位置４１ｈの下方に第２コンタクトガラス４２の透明部４２ａが来るように第２コンタクトガラス４２を移動する（図５（ａ））。
【００４８】
そして、原稿載置台１２に載置された原稿Ｄを、ピックアップローラ４３によって最上位のものから一枚ずつ送り出して搬送する。
【００４９】
次に、原稿ＤをＵターンパス４０ａで約１８０度反転させた後、第１搬送ローラ対４６によって第１コンタクトガラス２３上に搬送し、原稿の表面の画像情報を第１画像読取部２１によって読み取る。
【００５０】
この後、表面の画像情報が読み取られた原稿を第２搬送ローラ対４８で搬送し、第２コンタクトガラス４２上において第２画像読取部４１によって原稿裏面の画像情報を読み取る。この後、画像を読み取られた原稿を第３搬送ローラ対５１により搬送し、原稿排紙トレイ５０上に排出する。
【００５１】
流し読みモードの場合は、両面流し読みモードと同様に、読み取り開始操作が行われると、画像読み取りを行う前に第１画像読取部２１を第１白基準板３０の下方に読み取り位置２１ｈが来るように移動して（図４（ｂ））、第１白基準板３０を読み取り、シェーディング補正係数を記憶する。その後、第１画像読取部２１を第１コンタクトガラス２３の下方に読み取り位置２１ｈが来るように移動する（図４（ａ））。そして、両面流し読みモードと同様の動作で第１画像読取部２１によって原稿表面の画像情報を読み取る。なお、この流し読みモードの場合は、この後、第２画像読取部４１による読み取りを行うことなく、原稿を第３搬送ローラ対５１により搬送し、原稿排紙トレイ５０上に排出する。
【００５２】
固定読みモードの場合は、まずＡＤＦ４０を開放し、原稿台ガラス２２に原稿Ｄを、画像情報面を下側にして載置する。次に、読み取り開始操作により、第１画像読取部２１を駆動部（図３参照）によって第１白基準板３０の下方に移動して、第１白基準板３０を読み取ってシェーディング補正係数を記憶する。その後、第１画像読取部２１を駆動部（図３参照）によって原稿台ガラス２２上に載置された原稿の下方にまで移動した後に、画像情報を読み取りながら第１画像読取部２１を移動させて画像情報を読み取る。
【００５３】
〔原稿読取部〕
図６は、原稿の表面の画像を読み取る第１原稿読取部の構成を説明するためのものである。図６（ａ）は、第１コンタクトガラス２３および導電性搬送ガイド２５の上視図であり、図６（ｂ）は、原稿読取部の断面図である。図６（ｃ）は導電性搬送ガイド１６１ａの下流側端部を拡大した拡大断面図である。
【００５４】
第１コンタクトガラス２３上には、導電性搬送ガイド２５が貼り付けられている。
第１コンタクトガラス２３は、ガラス２３ａ表面（原稿搬送面）に導電層としてＥＣ（ｅｌｅｃｔｒｏ  ｃｏｎｄｕｃｔｉｖｅ）コート２３ｂを施してあり、表面抵抗値は２００〜５００Ω／ｃｍ程度となっている。ＥＣコートは、透明な導電性コーティングである。本実施形態では蒸着コーティングによって表面膜厚層は約１μｍ以下で生成されており、可視光透過率は約９０％（波長５００μｍ程度）となっている。
【００５５】
第１コンタクトガラス２３の表面には、原稿搬送方向上流側の縁部にかけて導電性部材である導電性搬送ガイド２５が導電性粘着部材である導電性両面テープ２６で貼り付けられている。導電性搬送ガイド２５は、接地された金属製の筐体２０にビスで固定されたアースバネ２７が当接している。よって、導電性搬送ガイド２５は、接地部材としての筐体２０と、筐体２０に設置された接地部材としてのアースバネ２７を介して接地されている。第１コンタクトガラス２３の表面（表層のＥＣコート２３ｂ）は、導電性接着部材である導電性両面テープ２６で接着されているために導電性搬送ガイド２５と導通がとられている。したがって導電層であるＥＣコート２３ｂは、導電性搬送ガイド２５を介して接地されている。
【００５６】
本実施形態では導電性搬送ガイド２５として、厚み０．２ｍｍのＳＵＳ板材を採用しており、導電性両面テープ２６の厚みは約０．１ｍｍである。また、導電性搬送ガイド２５の原稿搬送方向と略垂直方向の長さＬ１は、搬送する最大サイズの原稿幅以上に設定されている。導電性搬送ガイド２５の端部から第１画像読取部２１の読み取り位置２１ｈまでの距離Ｋ１は、照明部２１ｃから画像読み取り位置２１ｈの原稿に向かう照明光を遮らないように設定しており、本実施例では約１０ｍｍに設定してある。ＳＵＳ板材で構成された導電性搬送ガイド２５の電気抵抗値は、第１コンタクトガラス２３のＥＣコート２３ｂの電気抵抗値よりも大幅に小さい。
【００５７】
上記のように本実施例の構成では、第１コンタクトガラス２３上に生じた電荷が導電性両面テープ２６に達するまでに、第１コンタクトガラス２３の表面に設けたＥＣコート２３ｂを通過する距離Ｋ１は最短距離で１０ｍｍ程度と短い。また、導電性両面テープ２６の厚みは約０．１ｍｍと小さい。このため原稿と第１コンタクトガラス２３との摩擦によって第１コンタクトガラス２３上に生じた静電気の電荷は速やかに導電性搬送ガイド２５に到達し、アースばね２７を通じてアースに落ちて消滅する。その結果、原稿Ｄとともに運ばれてきたゴミＧと第１コンタクトガラス２３との間には静電吸着の力は及ばず、摩擦による力が支配的となる。従って、原稿ＤとゴミＧとの摩擦力が、ゴミＧと第１コンタクトガラス２３との摩擦力より強く、ゴミＧは第１コンタクトガラス２３に滞留することなく原稿Ｄと共に搬送され、画像スジが発生することを防止することができる。
【００５８】
次に、原稿の裏面側の画像を読み取る第２画像読取部４１の構成について、図７を用いて説明する。図７（ａ）は、第２コンタクトガラス４２を原稿搬送路側から見た正面図である。図７（ｂ）は第２白基準板５２の拡大断面図、図７（ｃ）は第２コンタクトガラス４２の導電層の接地構成を説明する要部拡大断面図である。
【００５９】
第２コンタクトガラス４２には、第１コンタクトガラス２３と同様に、ガラス４２ａの表面（原稿搬送面）に導電層としてＥＣコート４２ｂを施してある。第２コンタクトガラス４２上には、第２白基準板５２が導電性テープ６１により貼り付けられており、第２コンタクトガラス４２の一端部には、接地部材としてのアルミテープ６３が貼り付けられている。アルミテープ６３は、厚み０．０４ｍｍのアルミ箔６３ａと粘着剤６３ｂとからなる。
【００６０】
導電性粘着部材である導電性テープ６１は、ＥＣコート４２ｂ側から、導電性粘着部材である導電性両面テープ６１ａ、金属箔６１ｂ、両面テープ６１ｃの３層で構成されており、第２白基準板５２の周囲を取り囲むように貼りつけてある。導電性両面テープ６１ａが導電性粘着層を形成し、金属箔６１ｂが金属層を形成する。また、導電性テープ６１の端部はアルミテープ６３上に重ねて貼りつけてある。アルミテープ６３には、接地部材としてのアースバネ６４の一端部が圧接されており、アースバネ６４の他端部は接地された金属製のＡＤＦフレーム４０ｂに摺動可能に接触している。
【００６１】
上記構成により、第２コンタクトガラス４２上のＥＣコート４２ｂは、導電性部材としての導電性テープ６１、接地部材としてのアースバネ６４およびＡＤＦフレーム４０ｂを介して接地されている。つまり、原稿の搬送方向と垂直な方向に延在して設けられている導電性テープ６１によって、第２コンタクトガラス４２の導電層は接地される。また、第２白基準板５２は、第２コンタクトガラス４２と導電性テープ６１とによって密封されており、外部からゴミ等が侵入することはない。第２白基準板５２の原稿搬送路側には、第２白基準板５２を保護するとともに、原稿の搬送を妨げないように、保護シート６２が第２白基準板５２全体を覆うように貼りつけてある。
【００６２】
第２白基準板５２はシェーディング補正の必要性から、搬送する最大サイズの原稿幅以上の長さを有するため、上記第２白基準板５２を取り囲む導電性テープ６１もまた搬送する最大サイズの原稿幅以上の長さＬ２を有する。
【００６３】
導電性テープ６１と第２画像読取部４１の画像読み取り位置４１ｈとの、原稿搬送方向の距離Ｋ２は、照明部４１ｃから画像読み取り位置４１ｈの原稿に向かう照明光を遮らないように設定しており、本実施例では約１０ｍｍに設定してある。
【００６４】
上記のように本実施例の構成では、原稿と第２コンタクトガラス４２との摩擦によって生じた静電気の電荷は、ＥＣコート４２ｂを最短距離でＫ２だけ通過すれば導電性両面テープ６１ａに到達する。その後、電荷は導電性両面テープ６１ａから金属箔６１ｂに達し、再び導電性両面テープ６１ａを介してアルミテープ６３に達し、アースバネ６４およびＡＤＦフレーム４０ｂを介してアースに落ちる。上記過程において、高抵抗のＥＣコート４２ｂの距離は約１０ｍｍ程度と短く、また、導電性両面テープ６１ａの厚みは約０．０５ｍｍ程度と小さい。このため画像読み取り位置４１ｈに生じた静電気は、速やかにアースに落ちて消滅する。その結果、原稿Ｄとともに運ばれてきたゴミＧと第２コンタクトガラス４２との間には静電吸着の力は及ばず、摩擦による力が支配的となる。従って、原稿ＤとゴミＧとの摩擦力が、ゴミＧと第２コンタクトガラス４２との摩擦力より強く、ゴミＧは原稿Ｄと共に搬送され、第２コンタクトガラス４２に滞留し、画像スジが発生することを防止することができる。
【００６５】
以上のように本実施例では、第２白基準板５２を第２コンタクトガラス４２に貼りつける両面テープを導電性部材である導電性テープ６１とし、該導電性テープを接地部材を介して接地させている。これにより、第２コンタクトガラスの原稿搬送方向の幅を増やすことなくＥＣコート４２ｂの徐電効果を強化して、スジ画像の発生を抑制する効果を得ることができる。これにより、原稿との摩擦によって第２コンタクトガラス４２の表面に生じた静電気は、第２コンタクトガラス表面に設けた導電層を短い距離移動するだけで導電性部材に到達することができる。よって、第２コンタクトガラスの除電効果を高めることができ、第２コンタクトガラスが帯電することを低減することができる。その結果、装置の大きさとコストの増大を抑えつつ、流し読み時のスジ画像の発生を低減できる。
【符号の説明】
【００６６】
４０ｂ  ＡＤＦフレーム
４１  第２画像読取手段
４１ｈ  読み取り位置
４２  第２コンタクトガラス
４２ｂ  ＥＣコート（導電層）
５２  第２白基準板
６１  導電性テープ（導電性粘着部材）
６１ａ  導電性両面テープ
６１ｂ  金属箔（金属層）
６１ｃ  両面テープ
６３  アルミテープ
６４  アースバネ
【図１】
2014036364.tif 000003
【図２】
2014036364.tif 000004
【図３】
2014036364.tif 000005
【図４】
2014036364.tif 000006
【図５】
2014036364.tif 000007
【図６】
2014036364.tif 000008
【図７】
2014036364.tif 000009
【図８】
2014036364.tif 000010
【図９】
2014036364.tif 000011
【図１０】
2014036364.tif 000012